(57)【要約】【課題】不要時にスペースの無駄を抑制することのできる収納ラックを提供する。【解決手段】基底面を構成する複数の基底部材１０と、基底面が平行となるように複数の基底部材１０を互いに連結するとともに、基底部材１０との連結部１１ａが回動可能な複数の連結部材１１と、一の基底部材１０と他の基底部材１０との間に形成される空間を仕切り、複数の収納空間１２ａを形成する１以上の仕切部材１２と、連結部材１１が基底部材１０に対して略垂直な状態で、連結部１１ａを固定する固定手段とを設ける。固定手段による連結部１１ａの固定を解除することで、基底部材１０と連結部材１１との間が回動可能となり、収納ラックが折り畳み可能となる。【選択図】　　　　図１
2004099078.tif 000002
【特許請求の範囲】
【請求項１】
基底面を構成する複数の基底部材（１０）と、
前記基底面が平行となるように前記複数の前記基底部材（１０）を互いに連結するとともに、前記基底部材（１０）との連結部（１１ａ）が回動可能な複数の連結部材（１１）と、
一の前記基底部材（１０）と他の前記基底部材（１０）との間に形成される空間を仕切り、複数の収納空間（１２ａ）を形成する１以上の仕切部材（１２）と、
前記連結部材（１１）が前記基底部材（１０）に対して略垂直な状態で、前記連結部（１１ａ）を固定する固定手段とを備えることを特徴とする収納ラック。
【請求項２】
前記固定手段は、前記連結部（１１ａ）の回動方向と平行に一の前記基底部材（１０）と他の前記基底部材（１０）との間に挿入される前記仕切部材（１２）であることを特徴とする請求項１に記載の収納ラック。
【請求項３】
前記固定手段は、前記連結部の回動をロックするロック構造であることを特徴とする請求項１に記載の収納ラック。
【請求項４】
前記仕切部材が、前記連結部材を兼用していることを特徴とする請求項１または３に記載の収納ラック。
【発明の詳細な説明】
【０００１】
【発明の属する技術分野】
本発明は、荷物等を収納する収納ラックに関する。
【０００２】
【従来の技術】
従来より、通いコンテナやトラック荷台で形の一定しない荷物等を運搬する場合、このような不定形荷物を整理して配置したり、積み上げたりするために収納ラックが用いられている。
【０００３】
【発明が解決しようとする課題】
ところが、このような収納ラックを用いた場合には、例えば運搬先に荷物を運搬した後、帰路に収納ラックが場所をとってしまうため、スペースの無駄が多くなるという問題がある。また、収納ラックの収納スペースと大きさが合わない荷物があったとしても、収納ラックには収納することができない。
【０００４】
本発明は、上記点に鑑み、不要時にスペースの無駄を抑制することのできる収納ラックを提供することを目的とする。
【０００５】
【課題を解決するための手段】
上記目的を達成するため、請求項１に記載の発明では、基底面を構成する複数の基底部材（１０）と、基底面が平行となるように複数の基底部材（１０）を互いに連結するとともに、基底部材（１０）との連結部（１１ａ）が回動可能な複数の連結部材（１１）と、一の基底部材（１０）と他の基底部材（１０）との間に形成される空間を仕切り、複数の収納空間（１２ａ）を形成する１以上の仕切部材（１２）と、連結部材（１１）が基底部材（１０）に対して略垂直な状態で、連結部（１１ａ）を固定する固定手段とを備えることを特徴としている。
【０００６】
これにより、使用しない場合には、固定手段による連結部の固定を解除することで、収納ラックを折り畳むことができる。この結果、収納ラックの体積を小さくすることができ、不要時に収納ラックが占有するスペースを小さくし、スペースの無駄を抑制することができる。
【０００７】
また、請求項２に記載の発明のように、固定手段は、連結部（１１ａ）の回動方向と平行に一の基底部材（１０）と他の基底部材（１０）との間に挿入される仕切部材（１２）から構成することができる。
【０００８】
また、請求項３に記載の発明のように、固定手段は、連結部の回動をロックするロック機構とすることもできる。
【０００９】
また、請求項４に記載の発明のように、仕切部材が、連結部材を兼用するように構成することもできる。
【００１０】
なお、上記各手段の括弧内の符号は、後述する実施形態に記載の具体的手段との対応関係を示すものである。
【００１１】
【発明の実施の形態】
以下、本発明の一実施形態について図１、図２に基づいて説明する。本実施形態の収納ラックは、例えば自動車のドア内張部品といった平坦形状の荷物を収納する際に好適に用いることができるものである。
【００１２】
図１は、本実施形態の収納ラックの使用状態を示す斜視図である。図１に示すように、本実施形態の収納ラックは、基底部材１０、連結部材１１、仕切部材１２、固定用部材１３とを備えている。
【００１３】
基底部材１０は、基底面を構成することができるものであり、複数設けられている。本実施形態の基底部材１０は、長方形状に形成された枠状部材であり、枠で囲まれた長方形の基底面を構成している。本実施形態の収納ラックでは、２つの基底部材１０が設けられ、それぞれ収納ラックの上面と下面を構成している。基底部材１０は、例えば金属材料や樹脂材料から構成することができる。
【００１４】
基底部材１０には、後述の仕切部材１２を挿入する箇所に、仕切部材１２を導くためのレール部１０ａが設けられている。また、上側に位置する基底部材１０の四隅には、基底面に対して垂直に突出部１０ａが設けられている。下側に位置する基底部材１０の四隅には、基底面に対して垂直に椀形状の受け皿部１０ｂが設けられている。これらの突出部１０ａと受け皿部１０ｂは、互いにはまり合うように構成されており、これにより複数の収納ラックを上に積み上げて使用することができる。
【００１５】
連結部材１１は、基底部材１０の基底面が平行になるように２つの基底部材１０を互いに連結するものであり、一の基底部材１０と他の基底部材１０の対応する部位を連結している。連結部材１１と基底部材１０との接合部１１ａは、回動可能に構成されている。本実施形態の連結部材１１は、中央付近に回動可能な中折れ部１１ｂを備えている。本実施形態では、連結部材１１が４つ設けられており、それぞれの連結部材１１が一の基底部材１０と他の基底部材１０の対応する四隅を連結している。
【００１６】
仕切部材１２は、一の基底部材１０と他の基底部材１０との間に形成される空間を仕切り、複数の収納空間１２ａを形成している。この収納空間の形状や大きさは、収納する対象に応じて任意に設定することができる。本実施形態の仕切部材１２は、板状部材から構成され、基底部材１０に対して着脱可能となっている。仕切部材１２は、基底部材１０と連結部材１１とを連結している連結部１１ａの回動方向と平行に、一の基底部材１０と他の基底部材１０との間に形成される空間にレール部１０ａに沿って挿入されている。
【００１７】
仕切部材１２は、連結部材１１が基底部材１０に対して略垂直となった状態において、一の基底部材１０と他の基底部材１０の双方に接触する大きさを有している。このため、仕切部材１２を一の基底部材１０と他の基底部材１０との間に形成される空間に挿入することで、連結部材１１が基底部材１０に対して略垂直となった状態で連結部１１ａを固定することができる。すなわち、本実施形態の仕切部材１２は、連結部材１１が基底部材１０に対して略垂直となった状態で連結部１１ａを固定する固定手段の一具体例を示している。
【００１８】
連結部１１ａを固定するために一の基底部材１０と他の基底部材１０との間に設けられる部材としては、連結部材１１を基底部材１０に対して略垂直にするために、連結部材１１が基底部材１０に対して略垂直となった状態において、一の基底部材１０と他の基底部材１０の双方に接触する大きさを有しており、かつ、連結部１１ａの回動を阻止するために、連結部１１ａの回動方向に所定の厚みを有している必要がある。また、仕切部材１２は、連結部１１ａを固定するために曲げ剛性が大きな部材を用いる必要がある。
【００１９】
図２は、仕切部材１２の具体例を示している。仕切部材１２としては、例えば図２（ａ）〜図２（ｄ）に示す合成樹脂製の板状部材を用いることができる。図２（ａ）に示す低発泡樹脂ボードは、発泡倍率が１０倍以下の低発泡樹脂を好適に用いることができる。図２（ｂ）に示すプラスチック製段ボールは２枚の板状部材とこれらを接合する複数の中間壁から構成され、図２（ｃ）に示すプラスチック製段ボールは２枚の板状部材とこれらを接合する波状部材から構成され、図２（ｄ）に示すプラスチック製気泡ボードは２枚の板状部材とエンボス加工された凹凸状の凹凸部材から構成されている。これらのプラスチック製段ボールおよびブラスチック製気泡ボードは、単位面積当り重量（目付重量）が２５０ｇ／ｍ２以上のものを好適に用いることができる。本実施形態では、合成樹脂としてポリエチレンやポリプロピレンといったポリオレフィン系樹脂を用いている。
【００２０】
また、仕切部材１２は上記構造に加え、例えばハニカム構造体を用いることもできる。さらに、樹脂材料に代えて金属製の板状部材、ベニヤ板、樹脂やワックスを含浸させた強化段ボール等を用いることもできる。
【００２１】
仕切部材１２の数は、形成したい収納空間の数に応じて任意に設定でき、少なくとも１以上であればよい。また、連結部１１ａを固定する目的に対しても、仕切部材１２は少なくとも１以上であればよい。
【００２２】
仕切部材１２における収納空間１２ａに対向する面には、収納空間１２ａに収納した荷物を、収納ラック内で固定するための固定用部材１３が設けられている。固定用部材１３としては緩衝性を有する部材を用いる必要がある。固定用部材１３としては、例えば樹脂材料等の弾性部材やプラスチック製気泡シートを用いることができる。
【００２３】
図３は、固定用部材１３の具体例を示している。固定用部材１３としては、例えば図３（ａ）に示す軟質発泡樹脂ボードまたは成型品、図３（ｂ）に示す単位面積当り重量（目付重量）が３５〜２００ｇ／ｍ２のプラスチック製気泡シート、図３（ｃ）に示す空気注入弁を有する空気袋、図３（ｄ）に示す積層した紙製段ボールを用いることができる。
【００２４】
図４は、収納ラックを折り畳んだ状態を示す斜視図である。図４に示すように、収納ラックは、基底部材１０から仕切板１２を取り外すことで、連結部１１ａおよび中折れ部１１ｂが回動自在となる。この結果、連結部材１１は連結部１１ａおよび中折れ部１１ｂで折れ曲がり、収納ラックを折り畳むことができる。これにより、収納ラックの体積を小さくすることができ、不要時に収納ラックが占有するスペースを小さくし、スペースの無駄を抑制することができる。
【００２５】
（他の実施形態）
なお、上記実施形態では、収納ラックを一対の基底部材１０から構成される１段構成としたが、これに限らず、多段式とすることもできる。例えば、図５、図６に示すように、３つの基底部材１０を基底面が平行になるように連結部材１１で連結することで、収納ラックを２段構成とすることができる。
【００２６】
また、上記実施形態では、基底部材１０として枠状部材を用いたが、これに限らず、基底面を構成することが可能な任意の形状の部材を用いることができる。例えば板状部材を用いれば、小さな部品を収納する際に落下することを防止できる。さらに網状部材を用いれば、通気性を確保することもできる。
【００２７】
また、上記実施形態では、仕切部材１２として板状部材を用いたが、これに限らず、収納空間を形成することができる任意の部材を用いることができる。例えば、枠状部材や網状部材を用いることができる。
【００２８】
また、上記実施形態では、連結部１１ａを固定する固定手段として仕切部材１２を用いたが、これに限らず、仕切部材１２とは別個独立した固定手段を設けることもできる。例えば連結部１１ａの回動をロックするロック機構を用いることもできる。例えば、脚を折り畳むことができる折り畳みテーブルの脚をロックする周知のロック機構を適用することができる。
【００２９】
また、上記実施形態では、連結部材１１と仕切部材１２とは独立した部材として構成したが、これらを兼用させることもできる。具体的には、一の基底部材１０と他の基底部材１０とを複数の仕切部材１２にて連結し、基底部材１０と仕切部材１２との連結部を回動可能に構成すればよい。但し、この場合には、仕切部材１２とは別に連結部の回動を固定する固定手段を設ける必要がある。
【００３０】
また、上記実施形態では、仕切部材１２と固定用部材１３を別個の部材として構成したが、これらを一体的に構成してもよい。図７は仕切部材１２と固定用部材１３を一体化した構成を示している。図７（ａ）に示す例では、枠状の仕切部材１２の中央に形成された穴を覆うように、弾性を有する膜状の固定用部材１３が貼り付けてある。図７（ｂ）に示す例では、枠状の仕切部材１２の中央に形成された穴を覆うように、複数のひも状の固定用部材１３が所定の張力で巻き付けてある。図７（ａ）、（ｂ）に示す構成によれば、仕切部材１２に形成された穴より小さく、かつ、比較的軽量の荷物を固定する際に好適に用いることができる。
【図面の簡単な説明】
【図１】上記実施形態の収納ラックの使用状態を示す斜視図である。
【図２】仕切部材の具体例を示す部分斜視図である。
【図３】固定用部材の具体例を示す部分斜視図である。
【図４】上記実施形態の収納ラックを折り畳んだ状態を示す斜視図である。
【図５】上記変形例の収納ラックの使用状態を示す斜視図である。
【図６】上記変形例の収納ラックを折り畳んだ状態を示す斜視図である。
【図７】仕切部材と固定用部材を一体化した具体例を示す斜視図である。
【符号の説明】
１０…基底部材、１１…連結部材、１１ａ…連結部、１２…仕切部材、１３…固定用部材。
【図１】
2004099078.tif 000003
【図２】
2004099078.tif 000004
【図３】
2004099078.tif 000005
【図４】
2004099078.tif 000006
【図５】
2004099078.tif 000007
【図６】
2004099078.tif 000008
【図７】
2004099078.tif 000009